(57)【要約】      （修正有）【課題】ワンタッチで係止及び解除を可能にした包装箱における周壁内部フラップの係止構造を提供する。【解決手段】平面視でコーナー角を底板２又は天板部材の各コーナー辺に、隣接交差して起立する外周壁３ａ，３ｂと、外周壁３ａ，３ｂを内側に折返し内周壁４ａ，４ｂと、自由端に連設し板部材の内面に沿って折曲げるフラップ６ａ，６ｂを折曲げ状態で、フラップ６ａ，６ｂの端部同士が重なり合う係止構造に関する。外周壁３ａ，３ｂと内周壁４ａ，４ｂを共に起立させ組立て、両当接フラップ６ａ，６ｂの一方の当接フラップ６ｂの端部の一部が他方の当接フラップ６ａの端部と上下に重なり係合部を形成し、一方の内部フラップ６ｂを他方の内部フラップ６ａ上に重ね合わせ、内周壁４ｂの下端側を、重なり合う外周壁３bの内面側に弾力的に揺動押接し、反対方向に復元揺動させ、係合部をフラップ６ａ側の係合部に重なり合う係合展開形状及び構造。【選択図】図３
2005132467.tif 000002
【特許請求の範囲】
【請求項１】
平面視でコーナー角を有する底板（２）又は天板となる板部材の各コーナー辺に、互いに隣接交差して起立する外周壁（３ａ），（３ｂ）を連設し、各外周壁（３ａ），（３ｂ）の自由端に内側に折返すように連設する内周壁（４ａ），（４ｂ）と、該内周壁（４ａ），（４ｂ）の自由端に連設し上記板部材の内面に沿って折曲げられる帯状の当接フラップ（６ａ），（６ｂ）とを設け、上記折曲げ状態で隣接する他の当接フラップ（６ａ），（６ｂ）の端部同士が重なり合って係止される構造において、上記外周壁（３ａ），（３ｂ）と内周壁（４ａ），（４ｂ）を共に起立させて組立てた際に、両当接フラップ（６ａ），（６ｂ）の少なくとも一方の当接フラップ（６ｂ）の端部の一部が他方の当接フラップ（６ａ）の端部と上下に重なり合って係合し合う平面視で凹凸形状の係合部（１１ｂ）を形成してなる包装箱における周壁内部フラップの端部係止構造。
【請求項２】
周壁の組立て時に凹凸を形成した一方の内部フラップ（６ｂ）を他方の内部フラップ（６ａ）上に重ね合わせ、上記凹凸形成側の内周壁（４ｂ）の下端側を、これとひだ状に重なり合う外周壁（３b）の内面側に弾力的に揺動させて押接した後、反対方向に復元揺動させることにより、係合部（１１ｂ）を他方の当接フラップ（６ａ）側の係合部（１１ａ）に重なり合って係合し合う展開形状及び構造とした請求項１の包装箱における周壁内部フラップの端部係止構造。
【請求項３】
箱組立状態で隣接係合し合う当接フラップ（６ａ），（６ｂ）の各係合部（１１ａ），（１１ｂ）の展開形状が、凹凸状に切欠き形成した側の係合部（１１ｂ）を当接フラップ（６ｂ）の幅方向及び辺方向に爪状の突起部（１１ｄ）を切残し形成し、他方の側の係合部（１１ａ）を当該当接フラップ（６ａ）の幅方向の略全幅にわたり且つ辺方向に一定寸法切込んで切欠形成してなる請求項１又は２の包装箱における周壁内部フラップの端部係止構造。
【請求項４】
隣接して交差する２つの外周壁（３ａ），（３ｂ）の交差する端部間に内面側において山線の折目（７）を介してひだ状に折曲げられて両外周壁（３ａ），（３ｂ）を連結する連結片（８）を連設し、周壁を起立させた状態でいずれか一方の周壁の外周壁（３ｂ）と内周壁（４ｂ）との間にひだ状に折畳まれた連結片（８）を弾力的に押圧挟持する請求項１，２又は３の包装箱における周壁内部フラップの端部係止構造。
【請求項５】
箱組立状態で隣接して交差する周壁の高さを起立状態で同一高さにするとともに、凹凸形成した係合部（１１ｂ）側の内周壁（４ｂ）の高さ幅（ｈ3）に対し他方の側の内周壁（４ａ）の高さ幅（ｈ2）を僅かな差（α）だけ狭く形成した請求項１，２，３又は４の包装箱における周壁内部フラップの端部係止構造。
【請求項６】
上記外周壁（３ａ），（３ｂ）と内周壁（４ａ），（４ｂ）との間に額縁幅に相当する幅の縁部（１２ａ），（１２ｂ）を設けた請求項１，２，４又は５の包装箱における周壁内部フラップの端部係止構造。
【請求項７】
箱組立状態で隣接係合し合う当接フラップ（６ａ），（６ｂ）の各係合部（１１ａ），（１１ｂ）の展開形状が、当接フラップ（６ａ），（６ｂ）の幅方向及び辺方向に爪状の突起部（１１ｅ），（１１ｄ）を切残し形成してなる請求項６の包装箱における周壁内部フラップの端部係止構造。
【請求項８】
爪状の突起部（１１ｅ），（１１ｄ）が、組立状態より、内周壁（４ａ）の下端側を外周壁（３ａ）の内面に向って押圧揺動させることにより、係合部（１１ａ），（１１ｂ）同士が平面視において互に係合解除される構造とした請求項７の包装箱における周壁内部フラップの端部係止構造。
【請求項９】
上記内周壁（４ａ）の左右端に内側にアングル状に折曲げられる折込フラップ（９）を連設し、周壁を起立させた状態で外周壁（３ｂ）と内周壁（４ｂ）との間にひだ状に折畳まれた連結片（８）とともに該折込フラップ（９）を押圧挟持し、起立状態における該折込フラップ（９）の連設基端部の下端に切込み（１３）を形成した請求項６，７又は８の包装箱における周壁内部フラップの端部係止構造。
【請求項１０】
当接フラップ（６ａ）の連設基端部の両端に切込み（１４）を形成し、内周壁（４ａ）の左右下端に底板（２）方向に突出する支持部（１６）を形成したこと請求項６，７，８又は９の包装箱における周壁内部フラップの端部係止構造。
【発明の詳細な説明】
【技術分野】
【０００１】
この発明はケーキ等の収容物を収容する包装箱における周壁内部フラップの端部係止構造に関する。
【背景技術】
【０００２】
従来の包装箱における周壁内部フラップの端部係止構造としては、図７，８に示すものが公知である。包装箱５１は正方形又は長方形の底板５２に対して、前後左右の外周壁５３ａ，５３ｂが折曲げ起伏可能に連設され、該外周壁５３ａ，５３ｂの自由端に内側に折返すように内周壁５４ａ，５４ｂが連設されている。そして外周壁５３ａ，５３ｂと内周壁５４ａ，５４ｂとで２重の周壁として構成され、該内周壁５４ａ，５４ｂの自由端には底板５２の内面に沿って折曲げられ底縁を形成する帯状の当接フラップ５６ａ，５６ｂが設けられている。
【０００３】
また図７の内面展開図に示すように、外周壁５３ａ，５３ｂの高さ幅をｈ51，内周壁５４ａ，５４ｂの高さ幅をｈ52とすると、外周壁５３ａ，５３ｂの高さ幅ｈ51に対して、内周壁５４ａ，５４ｂの高さ幅ｈ52を使用される紙等の素材の厚みや質に応じて僅かに狭く形成している。この例ではｈ51−ｈ52≒０．５〜１．０ｍｍ（但し紙厚が０．５〜１．０ｍｍの場合）のサイズで形成されている。
【０００４】
さらに隣接して交差する外周壁５３ａ，５３ｂの端部間には内面側において山線の折目５７を介してひだ状に折曲げられて隣接する外周壁５３ａ，５３ｂを連結する連結片５８が連設されている。そして周壁を起立させた状態で外周壁５３と内周壁５４との間にひだ状に折曲げられた連結片５８と内周壁５４ａ，５４ｂの両端に連設された折込みフラップ５９を押圧挟持し、図８の矢印に示すように当接フラップ５６ａの端部を隣接交差する当接フラップ５６ｂの端部上に重ね合わせて係止固定し、箱組みを完成させる構成となっている。
【発明の開示】
【発明が解決しようとする課題】
【０００５】
しかし、上記従来の包装箱の周壁内部フラップの端部係止構造は、隣接交差する当接フラップの端部同士が互いに重なり合って係止固定する構造となっており、該当接フラップの端部が角（鈍角：この例ではおよそ１２０°である）に形成されているので、隣接交差する他方の当接フラップとの重ね合わせ面積が大きくなり、当接フラップの端部を他方の当接フラップ下に差し込み重ね合わせて係止固定する際には、いずれか一方の当接フラップを大きく起立方向に回動させる必要があり、箱組み時に無理な力を必要とするほか、菓子を手渡して包装する現場での箱組み作業が非能率的であった。
また、係止解除する際も同様にいずれか一方の当接フラップを起立方向に大きく回動させて、他の当接フラップの係止解除をする必要があり、さらに当接フラップの端部を角に形成していると、箱組みの係止固定及び係止解除の際にその角で指等を痛めることがあった。
この発明は、これらの課題を解決又は改善しようとするものである。
【課題を解決するための手段】
【０００６】
上記課題を解決するための本発明の包装箱における周壁内部フラップの端部係止構造は、第１に、平面視でコーナー角を有する底板２又は天板となる板部材の各コーナー辺に、互いに隣接交差して起立する外周壁３ａ，３ｂを連設し、各外周壁３ａ，３ｂの自由端に内側に折返すように連設する内周壁４ａ，４ｂと、該内周壁４ａ，４ｂの自由端に連設し上記板部材の内面に沿って折曲げられる帯状の当接フラップ６ａ，６ｂとを設け、上記折曲げ状態で隣接する他の当接フラップ６ａ，６ｂの端部同士が重なり合って係止される構造において、上記外周壁３ａ，３ｂと内周壁４ａ，４ｂを共に起立させて組立てた際に、両当接フラップ６ａ，６ｂの少なくとも一方の当接フラップ６ｂの端部の一部が他方の当接フラップ６ａの端部と上下に重なり合って係合し合う平面視で凹凸形状の係合部１１ｂを形成してなることを特徴としている。
【０００７】
第２に、周壁の組立時に凹凸を形成した一方の内部フラップ６ｂを他方の内部フラップ６ａ上に重ね合わせ、上記凹凸形成側の内周壁４ｂの下端側を、これとひだ状に重なり合う外周壁３bの内面側に弾力的に揺動させて押接した後、反対方向に復元揺動させることにより、係合部１１ｂを他方の当接フラップ６ａ側の係合部１１ａに重なり合って係合し合う展開形状及び構造としたことを特徴としている。
【０００８】
第３に、箱組立状態で隣接係合し合う当接フラップ６ａ，６ｂの各係合部１１ａ，１１ｂの展開形状が、凹凸状に切欠き形成した側の係合部１１ｂを当接フラップ６ｂの幅方向及び辺方向に爪状の突起部１１ｄを切残し形成し、他方の側の係合部１１ａを当該当接フラップ６ａの幅方向の略全幅にわたり且つ辺方向に一定寸法切込んで切欠形成してなることを特徴としている。
【０００９】
第４に、隣接して交差する２つの外周壁３ａ，３ｂの交差する端部間に内面側において山線の折目７を介してひだ状に折曲げられて両外周壁３ａ，３ｂを連結する連結片８を連設し、周壁を起立させた状態でいずれか一方の周壁の外周壁３ｂと内周壁４ｂとの間にひだ状に折畳まれた連結片８を弾力的に押圧挟持することを特徴としている。
【００１０】
第５に、箱組立状態で隣接して交差する周壁の高さを起立状態で同一高さにするとともに、凹凸形成した係合部１１ｂ側の内周壁４ｂの高さ幅ｈ3に対し他方の側の内周壁４ａの高さ幅ｈ2を僅かな差αだけ狭く形成したことを特徴としている。
【００１１】
第６に、上記外周壁３ａ，３ｂと内周壁４ａ，４ｂとの間に額縁幅に相当する幅の縁部１２ａ，１２ｂを設けたことを特徴としている。
【００１２】
第７に、箱組立状態で隣接係合し合う当接フラップ６ａ，６ｂの各係合部１１ａ，１１ｂの展開形状が、当接フラップ６ａ，６ｂの幅方向及び辺方向に爪状の突起部１１ｅ，１１ｄを切残し形成してなることを特徴としている。
【００１３】
第８に、爪状の突起部１１ｅ，１１ｄが、組立状態より、内周壁４ａの下端側を外周壁３ａの内面に向って押圧揺動させることにより、係合部１１ａ，１１ｂ同士が平面視において互に係合解除される構造としたことを特徴としている。
【００１４】
第９に、上記内周壁４ａの左右端に内側にアングル状に折曲げられる折込フラップ９を連設し、周壁を起立させた状態で外周壁３ｂと内周壁４ｂとの間にひだ状に折畳まれた連結片８とともに該折込フラップ９を押圧挟持し、起立状態における該折込フラップ９の連設基端部の下端に切込み１３を形成したことを特徴としている。
【００１５】
第１０に、当接フラップ６ａの連設基端部の両端に切込み１４を形成し、内周壁４ａの左右下端に底板２方向に突出する支持部１６を形成したことを特徴としている。
【発明の効果】
【００１６】
以上の如く構成される本発明の包装箱における周壁内部フラップの端部係止構造によれば、以下に示すような効果を奏するものである。
（１）上記周壁の組立状態において隣接し合う当接フラップの端部に係合部を設け、該係合部に爪状の突起部を切残し形成し、前記係合部同士が互いに重なり合って係合し合う展開形状及び構造としたので当接フラップの起立回動の動作を要せずに、箱組みを容易且つ迅速に行うことができる。
【００１７】
（２）ひだ状に折畳まれた連結片を外周壁と内周壁とで弾力的に押圧挟持し、内周壁の下端側を外周壁の内面側に弾力的に揺動させて押接し、反対方向に復元揺動させる構成としたので、ワンタッチで当接フラップの係止及び解除をすることができるとともに、一旦係止した当接フラップ同士の係合部は上記復元揺動作用により、容易に解除されることはない。
【００１８】
（３）α＝ｈ3−ｈ2の数式で示すように、凹凸形成した係合部側の内周壁の高さ幅ｈ3に対し他方の側の内周壁の高さ幅ｈ2を僅かな差αだけ狭く形成したことにより、当接フラップと底板の間に僅かな隙間ができ、係合部に切り残し形成された突起部を容易に隣接交差する他の係合部に差込んで係止固定することができる。
【００１９】
（４）外周壁と内周壁との間に額縁幅に相当する縁部を設け、隣接交差し係合し合う当接フラップの各係合部に突起部を切り残し形成したので、ワンタッチで係止固定し、内側壁の外側壁の内面側への移動を規制することができるとともに、解除する際には折込フラップの連設した内周壁を外周壁の内面に向かって押圧揺動させるだけで、一方の突起部が隣接交差し係合し合う他方の突起部を解除方向に押し上げることができるので、当接フラップの端面に触らずに、係合し合う突起部を容易に解除することができる。
【００２０】
（５）内周壁の左右両端の内側にアングル状に折曲げられる折込フラップを連設し、起立状態において該折込フラップの連設基端部の下端に切込みを設けたので、折込フラップの下端側に戻り方向の弾力性が備わり、内周壁が弾力的に包装箱の内側に復元揺動する構成としたので、周壁の組立及び解除をワンタッチで容易にすることができる。
【００２１】
（６）額縁幅に相当する縁部を設けた包装箱においても、当接フラップと底板との間の隙間αがｈ3＞ｈ2の関係により形成されるとともに、当接フラップの連設基端部の両端に切込みを形成したので、該切込みによって底板方向に突出形成された支持部の下端が底板２に当接し、起立状態において内周壁を支持するとともに、高さを出すことによってさらに正確な隙間αを形成し、額縁状の縁部の水平を保持することができる。
【発明を実施するための最良の形態】
【００２２】
以下本発明の実施形態を図面に基づき説明する。図１は本包装箱の箱組み完成状態を示す斜視図，図２は展開図を示し、図３は要部拡大図である。
【００２３】
包装箱１は、正方形又は長方形の底板２に対して前後外周壁３ａ及び左右外周壁３ｂが折曲げ起伏可能に連設され、その各外周壁３ａ，３ｂの自由端には包装箱１の内側に折り返し形成される前後内周壁４ａ及び左右内周壁４ｂが折曲げ可能に連設され、包装箱１の周壁を２重壁として構成している。そして上記内周壁４ａ，４ｂの自由端には底板２の内面に沿って内側に折曲げられ底縁を形成する帯状の当接フラップ６ａ，６ｂが折曲げ可能に連設され、該当接フラップ６ａ，６ｂの端部には後述する係脱用の係合部１１ａ，１１ｂが切欠形成されている。
【００２４】
上記係合部１１ａは前記当接フラップ６ａの両端を幅方向の略全幅に渡り且つ辺方向に一定寸法切込んで切欠形成され、また係合部１１ｂは幅方向及び辺方向を切欠形成した切欠部１１ｃと該切欠部１１ｃによって切り残し形成された突起部１１ｄにより構成されている。そして隣接して交差する２つの外周壁３ａ，３ｂの交差する端部間に、内面側において山線の折目７を介してひだ状に折曲げられ外周壁３ａ，３ｂを連結する連結片８を連設し、さらに内周壁４ａの両端には、内周壁４ａ，４ｂの高さ内の幅を有する舌状の折込フラップ９が折曲げ可能に連設されている。
【００２５】
以上のような構成による本包装箱１の箱組みは、外周壁３ａを起立方向に折曲げ、内周壁４ａを包装箱１の内側に折り返し、当接フラップ６ａを底板２の内面側に当接させ包装箱１の底縁を形成するとともに、内周壁４ａ両端に連設した折込フラップ９を９０°内側に折曲げておく。そして外周壁３ｂを起立させ、内周壁４ｂを包装箱１の内側に折り返し、当接フラップ６ｂを底板２の内面側に当接させ包装箱１の底縁を形成するとともに、上記折込フラップ９と起立状態で折畳まれた連結片８を外周壁３ｂと内周壁４ｂとの間に押圧挟持する。
【００２６】
次に係合部１１ａ，１１ｂの係止構造について説明する。図２の内面展開図に示すように、外周壁３ａ，３ｂの高さ幅をｈ1，内周壁４ａの高さ幅をｈ2，内周壁４ｂの高さ幅をｈ3とすると、ｈ1＞ｈ2，ｈ1＞ｈ3の不等式で示すように外周壁３ａ，３ｂの高さ幅ｈ1に対して内周壁４ａ，４ｂの高さ幅ｈ2，ｈ3を狭く形成した。そしてｈ3＞ｈ2の不等式で示すようにｈ3に対してｈ2を狭く形成することで、僅かな隙間αが底板２と当接状態の当接フラップ６ａの間に形成される。この例では紙厚を０．５〜１．０ｍｍとした場合、α＝ｈ3−ｈ2≒１．５〜２．０ｍｍに構成されている。
【００２７】
よって図３（Ｂ）の矢印に示すように内周壁４ｂを外周壁３ｂの内面側に弾力的に揺動させて押接させると、外周壁３ｂと内周壁４ｂとで押圧挟持した連結片８の復元揺動作用により、内周壁４ｂの下端側が反対方向に揺動する。そして該復元揺動作用とｈ3＞ｈ2により形成された僅かな隙間αによって、当接フラップ６ｂの端部の係合部１１ｂに切り残し形成された突起部１１ｄが当接フラップ６ａの端部下に差込まれ、係合部１１ａ，１１ｂの係止作業が完了する。
【００２８】
また包装箱を解体する際には、当接フラップ６ｂ及び内周壁４ｂを外周壁３ｂ方向に揺動させ、当接フラップ６ａの端部下に差込まれた突起部１１ｄを係止解除する。そして内周壁４ｂを上記の連結片８の弾力的な復元揺動作用によって外側に折返して押圧挟持していた折込フラップ９と折畳み状態の連結片８を開放するとともに、内周壁４ａ及び当接フラップ６ａも同様に外側に折返して、包装箱１を元の平板状態に戻して解体作業を完了させる。
【００２９】
次に図４に示すように第２実施形態である包装箱１´について説明する。外周壁３ａ，３ｂと内周壁４ａ，４ｂ間に周壁に壁厚を出すために額縁幅に相当する縁部１２ａ，１２ｂを設けた（但し図４は線対称な図面であるために、右半分を割愛した）。係合部１１ａには当接フラップ６ａの端部を幅方向及び辺方向に切り残し形成した爪状の突起部１１ｅが設けられており、起立状態における折込フラップ９の連設基端部の下端に鍵型の切込み１３を形成した。そして当接フラップ６ａの連設基端部の両端に切込み１４を形成し、切込み１３及び１４によって、底板２方向に支持部１６を突出形成した。したがって上記の包装箱１と同様に僅かな隙間αが高さ幅ｈ3＞ｈ2の関係により形成されるとともに、図４に示すように、当接フラップ６ａの折目と底板２に当接する支持部１６の下端によって、より正確に隙間αが形成される構成となっている。但しその他の構成は第１実施形態である包装箱１と共通のために省略する。
【００３０】
また係合部１１ａ，１１ｂの係止構造について説明すると、係合部１１ｂの突起部１１ｄが隣接する当接フラップ６ａの端部下に差込まれるとともに、係合部１１ａの突起部１１ｅが隣接する当接フラップ６ｂの端部下に差込まれ、突起部１１ｄ，１１ｅ同士が互いに重なり合って係合し、さらに突起部１１ｅによって内側壁４ａ及び当接フラップ６ａの外側壁３ａの内面側への移動を規制する構成となっている。また上述のように起立状態における折込フラップ９の連設基端部の下端に切込み１３を形成したので、内周壁４ｂを外周壁３ｂの内面側に折り曲げた際に折込フラップ９の下端側が弾力的に内周壁４ｂを反対方向に復元揺動させて、係合部１１ａ，１１ｂの係止固定を補助する。
【００３１】
さらに係合部１１ａ，１１ｂの係止解除について説明する。額縁幅に相当する縁部１２ａ，１２ｂが設けられ内周壁と外周壁間に空間が形成されているので、図６の（Ａ）に示す係止固定状態から内周壁４ａ及び当接フラップ６ａを外周壁３ａの内面側に揺動させると、図６の（Ｂ）に示すように、当接フラップ６ａの係合部１１ａの突起部１１ｅが、隣接交差し係合し合う他の当接フラップ６ｂの係合部１１ｂの突起部１１ｄを解除方向に押し上げる。そして図６の（Ｃ）に示すように、当接フラップ６ａ，６ｂの端部の係合部１１ａ，１１ｂの係合部の係止が解除される構成となっている。
【００３２】
以上のように構成される本発明の包装箱における周壁内部フラップの端部係止構造は、底板が正方形や長方形の箱体だけでなく、六角形等の各種多角形の周壁内部フラップの端部係止構造とすることもできる。
【図面の簡単な説明】
【００３３】
【図１】本包装箱の箱組み完成状態を示す斜視図である。
【図２】本包装箱の内面展開図及び要部拡大図である。
【図３】（Ａ）は本包装箱の周壁内部フラップの端部の係止固定状態を示す斜視図であり、（Ｂ）は係止固定前を示す斜視図である。
【図４】本包装箱の第２実施形態の内面展開図及び要部拡大図である。
【図５】本包装箱の第２実施形態の周壁内部フラップの端部係止固定状態を示す斜視図である。
【図６】本包装箱の第２実施形態の周壁内部フラップの端部係止状態から係止解除に至る一連の流れを示す平面図であり、（Ａ）は係止状態，（Ｂ）は係止解除途中，（Ｃ）は係止解除後である。
【図７】従来の包装箱の内面展開図である。
【図８】従来の包装箱の内部フラップの係止状態を示す斜視図である。
【符号の説明】
【００３４】
１      包装箱
２      底板
３ａ    外周壁
３ｂ    外周壁
４ａ    内周壁
４ｂ    内周壁
６ａ    当接フラップ
６ｂ    当接フラップ
７      折目
８      連結片
９      折込フラップ
１１ａ  係合部
１１ｂ  係合部
１１ｄ  突起部
１１ｅ  突起部
１２ａ  縁部
１２ｂ  縁部
１３    切込み
１４    切込み
１６    支持部
ｈ2     高さ幅
ｈ3     高さ幅
α      差
【図１】
2005132467.tif 000003
【図２】
2005132467.tif 000004
【図３】
2005132467.tif 000005
【図４】
2005132467.tif 000006
【図５】
2005132467.tif 000007
【図６】
2005132467.tif 000008
【図７】
2005132467.tif 000009
【図８】
2005132467.tif 000010